【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
情報処理装置とネットワークを介して通信可能なプリントサーバであって、
前記情報処理装置から印刷装置に依存しない形式の印刷対象データを受信するデータ受信手段と、
前記受信した印刷対象データを記憶するデータ記憶手段と、
前記記憶した印刷対象データを特定するための書誌情報を書誌情報記憶サーバに記憶させる書誌情報記憶手段と、
プリンタドライバを記憶するプリンタドライバ記憶手段と、
所望の印刷装置の表示部に表示された一覧で選択された印刷対象データの出力指示と前記書誌情報に従って、印刷対象データを出力するための印刷指示情報を受信する印刷指示情報受信手段と、
前記受信した印刷指示情報に従って、出力する印刷対象データを特定する印刷対象データ特定手段と、
前記受信した印刷指示情報に従って、前記出力指示のあった印刷装置に対応するプリンタドライバを特定するプリンタドライバ特定手段と、
前記出力指示のあった印刷装置で印刷すべく、前記特定されたプリンタドライバを用いて前記特定された印刷対象データから印刷装置に依存する形式の印刷データを生成する印刷データ生成手段と、
を備えることを特徴とするプリントサーバ。
【請求項２】
前記プリントサーバと前記書誌情報記憶サーバは、別筐体で構成されることを特徴とし、
前記印刷指示情報受信手段は、前記書誌情報記憶サーバから印刷指示情報を受信する、ことを特徴とする請求項１に記載のプリントサーバ。
【請求項３】
前記記憶した印刷対象データを特定するための書誌情報を書誌管理サーバに送信する書誌情報送信手段と、
前記印刷指示情報は、前記印刷装置から送信される印刷要求と前記書誌情報に従って特定された印刷対象データの情報を含むことを特徴とし、
前記印刷対象データ特定手段は、前記印刷指示情報を前記書誌管理サーバから受信することによって印刷対象データを特定する、
ことを特徴とする請求項１または２に記載のプリントサーバ。
【請求項４】
前記プリンタドライバのポート情報を前記出力指示のあった印刷装置のポート情報に設定するポート情報設定手段と、
前記プリンタドライバ特定手段は、前記出力指示のあった印刷装置に対応するプリンタドライバがなかった場合に、前記印刷指示情報に含まれる前記印刷装置が解釈可能なプリンタ言語情報に従って、プリンタドライバを特定することを特徴とし、
前記ポート情報設定手段は、前記印刷指示情報に含まれる前記印刷装置が解釈可能なプリンタ言語情報に従って特定されたプリンタドライバに対してポート情報を設定することを特徴とする請求項１乃至３のいずれか１項に記載のプリントサーバ。
【請求項５】
前記印刷指示情報には、前記印刷装置で指定された印刷設定情報を含むことを特徴とし、
前記プリンタドライバ特定手段で特定されたプリンタドライバに対して、前記印刷設定情報を設定する設定手段と、
前記印刷データ生成手段は前記印刷設定情報が設定されたプリンタドライバを用いる、
ことを特徴とする請求項１乃至４のいずれか１項に記載のプリントサーバ。
【請求項６】
前記書誌情報は、前記印刷対象データに付加されている情報であることを特徴とし、
前記書誌情報記憶手段は前記印刷対象データに付加された書誌情報を記憶する、
ことを特徴とする請求項１乃至５のいずれか１項に記載のプリントサーバ。
【請求項７】
情報処理装置とプリントサーバと印刷装置がネットワークを介して通信可能なプリントシステムであって、
前記プリントサーバは、
前記情報処理装置から印刷装置に依存しない形式の印刷対象データを受信するデータ受信手段と、
前記受信した印刷対象データを記憶するデータ記憶手段と、
前記記憶した印刷対象データを特定するための書誌情報を書誌情報記憶サーバに記憶させる書誌情報記憶手段と、
プリンタドライバを記憶するプリンタドライバ記憶手段と、
所望の印刷装置の表示部に表示された一覧で選択された印刷対象データの出力指示と前記書誌情報に従って、印刷対象データを出力するための印刷指示情報を受信する印刷指示情報受信手段と、
前記受信した印刷指示情報に従って、出力する印刷対象データを特定する印刷対象データ特定手段と、
前記受信した印刷指示情報に従って、前記出力指示のあった印刷装置に対応するプリンタドライバを特定するプリンタドライバ特定手段と、
前記出力指示のあった印刷装置で印刷すべく、前記特定されたプリンタドライバを用いて前記特定された印刷対象データから印刷装置に依存する形式の印刷データを生成する印刷データ生成手段と、
前記印刷装置は、
前記印刷対象データの一覧を表示させる印刷対象データ一覧表示手段と、
前記一覧から印刷する印刷対象データを指定する印刷対象データ指定手段と、
前記指定された印刷対象データの出力指示を行う印刷対象データ出力指示手段と、
前記出力指示に応じて、前記プリントサーバより印刷データを受信する印刷データ受信手段と、
前記受信した印刷データを印刷する印刷手段と、
を備えることを特徴とするプリントシステム。
【請求項８】
前記プリントサーバと前記書誌情報記憶サーバは、別筐体で構成されることを特徴とし、
前記印刷指示情報受信手段は、前記書誌情報記憶サーバから印刷指示情報を受信することを特徴とする請求項７に記載のプリントシステム。
【請求項９】
情報処理装置から受信した印刷装置に依存しない形式の印刷対象データとプリンタドライバを記憶するプリントサーバにおけるプリント方法であって、
前記記憶された印刷対象データを特定するための書誌情報を書誌情報記憶サーバに記憶させる書誌情報記憶ステップと、
所望の印刷装置の表示部に表示された一覧で選択された印刷対象データの出力指示と前記書誌情報に従って、印刷対象データを出力するための印刷指示情報を受信する印刷指示情報受信ステップと、
前記受信した印刷指示情報に従って、出力する印刷対象データを特定する印刷対象データ特定ステップと、
前記受信した印刷指示情報に従って、前記出力指示のあった印刷装置に対応するプリンタドライバを特定するプリンタドライバ特定ステップと、
前記出力指示のあった印刷装置で印刷すべく、前記特定されたプリンタドライバを用いて前記特定された印刷対象データから印刷装置に依存する形式の印刷データを生成させる印刷データ生成ステップと、
を備えることを特徴とするプリント方法。
【請求項１０】
情報処理装置とネットワークを介して通信可能なプリントサーバを、
前記情報処理装置から印刷装置に依存しない形式の印刷対象データを受信するデータ受信手段、
前記受信した印刷対象データを記憶するデータ記憶手段、
前記記憶した印刷対象データを特定するための書誌情報を書誌情報記憶サーバに記憶させる書誌情報記憶手段、
プリンタドライバを記憶するプリンタドライバ記憶手段、
所望の印刷装置の表示部に表示された一覧で選択された印刷対象データの出力指示と前記書誌情報に従って、印刷対象データを出力するための印刷指示情報を受信する印刷指示情報受信手段、
前記受信された印刷指示情報に従って、出力する印刷対象データを特定する印刷対象データ特定手段、
前記受信した印刷指示情報に従って、前記出力指示のあった印刷装置に対応するプリンタドライバを特定するプリンタドライバ特定手段、
前記出力指示のあった印刷装置で印刷すべく、前記特定されたプリンタドライバを用いて前記特定された印刷対象データから印刷装置に依存する形式の印刷データを生成するための指示をする生成指示手段、
として機能させるためのプログラム。
【請求項１１】
請求項１０に記載されたプログラムを記録したコンピュータ読み取り可能な記録媒体。
【手続補正２】
【補正対象書類名】明細書
【補正対象項目名】発明の名称
【補正方法】変更
【補正の内容】
【発明の名称】プリントサーバおよびプリントシステムおよびプリント方法およびプログラムおよび記録媒体
【手続補正３】
【補正対象書類名】明細書
【補正対象項目名】００１０
【補正方法】変更
【補正の内容】
【００１０】
本発明は、情報処理装置とネットワークを介して通信可能なプリントサーバであって、前記情報処理装置から印刷装置に依存しない形式の印刷対象データを受信するデータ受信手段と、前記受信した印刷対象データを記憶するデータ記憶手段と、前記記憶した印刷対象データを特定するための書誌情報を書誌情報記憶サーバに記憶させる書誌情報記憶手段と、プリンタドライバを記憶するプリンタドライバ記憶手段と、所望の印刷装置の表示部に表示された一覧で選択された印刷対象データの出力指示と前記書誌情報に従って、印刷対象データを出力するための印刷指示情報を受信する印刷指示情報受信手段と、前記受信した印刷指示情報に従って、出力する印刷対象データを特定する印刷対象データ特定手段と、前記受信した印刷指示情報に従って、前記出力指示のあった印刷装置に対応するプリンタドライバを特定するプリンタドライバ特定手段と、前記出力指示のあった印刷装置で印刷すべく、前記特定されたプリンタドライバを用いて前記特定された印刷対象データから印刷装置に依存する形式の印刷データを生成する印刷データ生成手段と、を備えることを特徴とする。
【手続補正４】
【補正対象書類名】明細書
【補正対象項目名】００１１
【補正方法】変更
【補正の内容】
【００１１】
また、本発明は、情報処理装置とプリントサーバと印刷装置がネットワークを介して通信可能なプリントシステムであって、前記プリントサーバは、前記情報処理装置から印刷装置に依存しない形式の印刷対象データを受信するデータ受信手段と、前記受信した印刷対象データを記憶するデータ記憶手段と、前記記憶した印刷対象データを特定するための書誌情報を書誌情報記憶サーバに記憶させる書誌情報記憶手段と、プリンタドライバを記憶するプリンタドライバ記憶手段と、所望の印刷装置の表示部に表示された一覧で選択された印刷対象データの出力指示と前記書誌情報に従って、印刷対象データを出力するための印刷指示情報を受信する印刷指示情報受信手段と、前記受信した印刷指示情報に従って、出力する印刷対象データを特定する印刷対象データ特定手段と、前記受信した印刷指示情報に従って、前記出力指示のあった印刷装置に対応するプリンタドライバを特定するプリンタドライバ特定手段と、前記出力指示のあった印刷装置で印刷すべく、前記特定されたプリンタドライバを用いて前記特定された印刷対象データから印刷装置に依存する形式の印刷データを生成する印刷データ生成手段と、前記印刷装置は、前記印刷対象データの一覧を表示させる印刷対象データ一覧表示手段と、前記一覧から印刷する印刷対象データを指定する印刷対象データ指定手段と、前記指定された印刷対象データの出力指示を行う印刷対象データ出力指示手段と、前記出力指示に応じて、前記プリントサーバより印刷データを受信する印刷データ受信手段と、前記受信した印刷データを印刷する印刷手段と、を備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】